(57)【要約】【課題】人感センサによる誤検出を回避するとともに、タグの電池寿命を一定水準以上に維持しながら機器制御が行えるようにする。【解決手段】機器制御領域における人の存在の有無を温度変化に基づいて検出するように設置される人感センサと、機器制御領域を含む通信可能範囲に位置するタグと通信を行うように設置されるタグリーダと、照明機器を制御する機器制御装置とを備える機器制御システムにおいて、機器制御装置は、人感センサが人の存在を検出したのに応じて照明機器を点灯させ、人感センサにより人の存在しないことが検出され、かつ、タグリーダがタグと通信を行っていない状態に応じて、照明機器を消灯させる。【選択図】図５
2014093551.tif 000002
【特許請求の範囲】
【請求項１】
所定の領域における人の存在の有無を前記領域における温度変化に基づいて検出するように設置される人感センサと、前記領域を含む通信可能範囲に位置するタグと通信を行うように設置されるタグ対応通信装置と、機器のそれぞれと通信を実行する通信部と、
前記人感センサが人の存在を検出したのに応じて前記機器の所定の機能動作を開始させ、前記人感センサにより人の存在しないことが検出され、かつ、前記タグ対応通信装置が前記タグと通信を行っていない状態に応じて、前記機器の所定の機能動作を停止させる機器動作制御部と
を備える機器制御装置。
【請求項２】
前記機器動作制御部により開始された機器の所定の機能動作が実行中のときに、前記タグ対応通信装置が前記タグと通信を行うのに応じて、前記機能動作における所定の調整項目を変更する調整制御部をさらに備える
請求項１に記載の機器制御装置。
【請求項３】
複数の領域ごとに設置される人感センサと、前記複数の領域ごとに設置される機器と、タグを所持するユーザと、前記調整項目に対応する調整パラメータとの対応付けを少なくとも示す制御情報を記憶する制御情報記憶部をさらに備え、
前記調整制御部は、
前記機器動作制御部により開始された機器の所定の機能動作が実行中のときに、前記タグ対応通信装置が前記タグと通信を行うのに応じて、前記制御情報に基づいて、前記タグを所持するユーザに対応付けられた機器の調整項目を、前記タグを所持するユーザに対応付けられた調整パラメータにしたがって変更する
請求項２に記載の機器制御装置。
【請求項４】
前記機器制御装置は、
複数の領域ごとに設置される人感センサと、前記複数の領域ごとに設置される機器と、タグを所持するユーザとの対応付けを少なくとも示す制御情報を記憶する制御情報記憶部をさらに備え、
前記機器動作制御部は、
前記制御情報に基づいて、人の存在を検出した人感センサに対応付けられた機器の所定の機能動作を開始させるとともに、
前記制御情報に基づいて、人の存在しないことを検出した人感センサに対応付けられたユーザが所持するタグが通信を行っていない状態であることを判定するのに応じて、前記人の存在しないことを検出した人感センサに対応付けられた機器の所定の機能動作を停止させる
請求項１または２に記載の機器制御装置。
【請求項５】
所定の領域における人の存在の有無を前記領域における温度変化に基づいて検出するように設置される人感センサと、前記領域を含む通信可能範囲に位置するタグと通信を行うように設置されるタグ対応通信装置と、機器を制御する機器制御装置とを備え、
前記機器制御装置は、
前記人感センサが人の存在を検出したのに応じて前記機器の所定の機能動作を開始させ、前記人感センサにより人の存在しないことが検出され、かつ、前記タグ対応通信装置が前記タグと通信を行っていない状態に応じて、前記機器の所定の機能動作を停止させる機器動作制御部を備える
機器制御システム。
【請求項６】
所定の領域における人の存在の有無を前記領域における温度変化に基づいて検出するように設置される人感センサと、前記領域を含む通信可能範囲に位置するタグと通信を行うように設置されるタグ対応通信装置と、機器のそれぞれと通信を実行する通信ステップと、
前記人感センサが人の存在を検出したのに応じて前記機器の所定の機能動作を開始させ、前記人感センサにより人の存在しないことが検出され、かつ、前記タグ対応通信装置が前記タグと通信を行っていない状態に応じて、前記機器の所定の機能動作を停止させる機器動作制御ステップと
を備える機器制御方法。
【請求項７】
コンピュータに、
所定の領域における人の存在の有無を前記領域における温度変化に基づいて検出するように設置される人感センサと、前記領域を含む通信可能範囲に位置するタグと通信を行うように設置されるタグ対応通信装置と、機器のそれぞれと通信を実行する通信ステップと、
前記人感センサが人の存在を検出したのに応じて前記機器の所定の機能動作を開始させ、前記人感センサにより人の存在しないことが検出され、かつ、前記タグ対応通信装置が前記タグと通信を行っていない状態に応じて、前記機器の所定の機能動作を停止させる機器動作制御ステップと
を実行させるためのプログラム。
【発明の詳細な説明】
【技術分野】
【０００１】
本発明は、機器制御装置、機器制御システム、機器制御方法及びプログラムに関する。
【背景技術】
【０００２】
焦電式の人感センサにより人の存在を検知して照明を制御する照明制御システムが知られている（例えば、特許文献１参照）。
また、関連付けされた照明機器を識別する照明識別子を記憶するタグと、このタグから無線通信経由で照明識別子を受信するのに応じて、照明識別子が示す照明機器の点灯に係る制御を行うタグリーダを備えた照明制御システムが知られている（例えば、特許文献２参照）。
【先行技術文献】
【特許文献】
【０００３】
【特許文献１】特開２０１２−１５５８７５号公報
【特許文献２】特開２０１１−１７５７５９号公報
【発明の概要】
【発明が解決しようとする課題】
【０００４】
しかし、焦電式の人感センサは、温度変化に応じて人の存在を検出するために、例えば人がほぼ静止しているような状態が続いた場合には、人が存在していないとの誤った検出結果を出力してしまうという問題がある。
【０００５】
また、タグの１種として、アクティブ型のＲＦＩＤ（Radio Frequency IDentification）タグがしばしば用いられる。アクティブ型のＲＦＩＤタグは、内蔵の電池により駆動されることで通信時に比較的大きな電力を使用できる。これにより、アクティブ型のＲＦＩＤタグは、例えば数十メートル程度という、パッシブ型のＲＦＩＤタグと比較して相当に長い通信距離による通信を行うことが可能である。
しかし、アクティブ型のＲＦＩＤタグは、電池を使用しているために、いずれは交換する必要がある。一例として、一般的なボタン電池を使用するアクティブ型のＲＦＩＤタグにおいて、その通信間隔が３分に設定されている場合に電池寿命が約３年というものがある。
【０００６】
例えば、照明などの機器の制御にアクティブ型のＲＦＩＤタグを使用する場合において、上記のように３分程度の通信間隔が設定されているとする。この場合、ユーザがアクティブ型のＲＦＩＤタグを所持してタグリーダと通信可能な場所に移動したとしても、機器が応答するまでに最大で３分程度の遅延が生じることになり、非常に使いにくい。
このような機器の応答の遅延への対策としては、アクティブ型のＲＦＩＤタグの通信間隔を、例えば数秒程度に短くすればよい。しかし、通信間隔を短くすることによっては、単位時間における消費電力量が増加するために電池の寿命が短くなってしまう。例えば、上記のように通信間隔が３分程度の場合に電池の寿命が約３年のアクティブ型のＲＦＩＤタグについて、通信間隔を３秒程度にまで短縮した場合、電池の寿命も例えば約２０日程度にまで短縮されてしまう。例えば、この約２０日ごとによる短期間の電池交換作業は相当に面倒なものになる。また、電池交換が頻繁になることによるコストアップも好ましいことではない。
【０００７】
本発明は、このような事情に鑑みてなされたもので、人感センサによる誤検出を回避するとともに、タグの電池寿命を一定水準以上に維持しながら機器制御が行えるようにすることを目的とする。
【課題を解決するための手段】
【０００８】
上述した課題を解決するために、本発明の一態様としての機器制御装置は、所定の領域における人の存在の有無を前記領域における温度変化に基づいて検出するように設置される人感センサと、前記領域を含む通信可能範囲に位置するタグと通信を行うように設置されるタグ対応通信装置と、機器のそれぞれと通信を実行する通信部と、前記人感センサが人の存在を検出したのに応じて前記機器の所定の機能動作を開始させ、前記人感センサにより人の存在しないことが検出され、かつ、前記タグ対応通信装置が前記タグと通信を行っていない状態に応じて、前記機器の所定の機能動作を停止させる機器動作制御部とを備える。
【０００９】
また、本発明の機器制御装置は、前記機器動作制御部により開始された機器の所定の機能動作が実行中のときに、前記タグ対応通信装置が前記タグと通信を行うのに応じて、前記機能動作における所定の調整項目を変更する調整制御部をさらに備えてもよい。
【００１０】
また、本発明の機器制御装置において、複数の領域ごとに設置される人感センサと、前記複数の領域ごとに設置される機器と、タグを所持するユーザと、前記調整項目に対応する調整パラメータとの対応付けを少なくとも示す制御情報を記憶する制御情報記憶部をさらに備え、前記調整制御部は、前記機器動作制御部により開始された機器の所定の機能動作が実行中のときに、前記タグ対応通信装置が前記タグと通信を行うのに応じて、前記制御情報に基づいて、前記タグを所持するユーザに対応付けられた機器の調整項目を、前記タグを所持するユーザに対応付けられた調整パラメータにしたがって変更してもよい。
【００１１】
また、本発明の機器制御装置において、前記機器制御装置は、複数の領域ごとに設置される人感センサと、前記複数の領域ごとに設置される機器と、タグを所持するユーザとの対応付けを少なくとも示す制御情報を記憶する制御情報記憶部をさらに備え、前記機器動作制御部は、前記制御情報に基づいて、人の存在を検出した人感センサに対応付けられた機器の所定の機能動作を開始させるとともに、前記制御情報に基づいて、人の存在しないことを検出した人感センサに対応付けられたユーザが所持するタグが通信を行っていない状態であることを判定するのに応じて、前記人の存在しないことを検出した人感センサに対応付けられた機器の所定の機能動作を停止させてもよい。
【００１２】
また、本発明の一態様としての機器制御システムは、所定の領域における人の存在の有無を前記領域における温度変化に基づいて検出するように設置される人感センサと、前記領域を含む通信可能範囲に位置するタグと通信を行うように設置されるタグ対応通信装置と、機器を制御する機器制御装置とを備え、前記機器制御装置は、前記人感センサが人の存在を検出したのに応じて前記機器の所定の機能動作を開始させ、前記人感センサにより人の存在しないことが検出され、かつ、前記タグ対応通信装置が前記タグと通信を行っていない状態に応じて、前記機器の所定の機能動作を停止させる機器動作制御部を備える。
【００１３】
また、本発明の一態様としての機器制御方法は、所定の領域における人の存在の有無を前記領域における温度変化に基づいて検出するように設置される人感センサと、前記領域を含む通信可能範囲に位置するタグと通信を行うように設置されるタグ対応通信装置と、機器のそれぞれと通信を実行する通信ステップと、前記人感センサが人の存在を検出したのに応じて前記機器の所定の機能動作を開始させ、前記人感センサにより人の存在しないことが検出され、かつ、前記タグ対応通信装置が前記タグと通信を行っていない状態に応じて、前記機器の所定の機能動作を停止させる機器動作制御ステップとを備える。
【００１４】
また、本発明の一態様としてのプログラムは、コンピュータに、所定の領域における人の存在の有無を前記領域における温度変化に基づいて検出するように設置される人感センサと、前記領域を含む通信可能範囲に位置するタグと通信を行うように設置されるタグ対応通信装置と、機器のそれぞれと通信を実行する通信ステップと、前記人感センサが人の存在を検出したのに応じて前記機器の所定の機能動作を開始させ、前記人感センサにより人の存在しないことが検出され、かつ、前記タグ対応通信装置が前記タグと通信を行っていない状態に応じて、前記機器の所定の機能動作を停止させる機器動作制御ステップとを実行させるためのものである。
【発明の効果】
【００１５】
以上説明したように、本発明によれば、焦電式の人感センサによる誤検出を回避するとともに、タグの電池寿命を一定水準以上に維持しながら機器制御を行うことができるという効果が得られる。
【図面の簡単な説明】
【００１６】
【図１】本実施形態における機器制御システムの構成例を示す図である。
【図２】本実施形態における機器制御領域の区画例を示す図である。
【図３】本実施形態における人感センサの設置例を示す図である。
【図４】本実施形態におけるタグリーダの設置例を示す図である。
【図５】本実施形態における機器制御装置の構成例を示す図である。
【図６】本実施形態における制御情報の内容例を示す図である。
【図７】本実施形態における機器制御装置が実行する処理手順例を示す図である。
【図８】本実施形態における機器制御装置の制御に応じた照明機器の状態遷移例を示す図である。
【発明を実施するための形態】
【００１７】
［機器制御システムの構成例］
図１は、本実施形態における機器制御システムの構成例を示している。
本実施形態の機器制御システムにおいては、オフィスＯＦとしての室内空間を、複数の機器制御領域ＡＲに区画する。
一例として、機器制御領域ＡＲは、それぞれ、１人のユーザＹが業務を行う場所として割り当てられた席ごとに対応して区画されている。なお、機器制御領域ＡＲは、複数のユーザＹに対応して割り当てられてもよいが、説明をわかりやすくすることの便宜上、ここでは、１つの機器制御領域ＡＲが１人のユーザＹに割り当てられた例を挙げる。
【００１８】
１つの機器制御領域ＡＲにおいては、図示するように、例えば人感センサ１００と照明機器２１０と調光装置２２０が設置される。
人感センサ１００は、人の存在の有無を温度変化に基づいて検出する。そして、この人感センサ１００は、機器制御領域ＡＲにおける人の存在の有無を、その機器制御領域ＡＲにおける温度変化に基づいて検出するように設置される。なお、本実施形態における人感センサ１００には、例えば焦電式が採用される。つまり、本実施形態の人感センサ１００は、光（赤外線を含む）による温度変化を焦電効果よって検出することにより人の存在の有無を検出する。
【００１９】
照明機器２１０は、機器制御領域ＡＲにおける照明を行うように設置される。照明機器２１０は、その機能動作として点灯を行う。この照明機器２１０の点灯と消灯の動作は、機器制御装置４００によって制御される。
つまり、機器制御装置４００は、例えばネットワークＮＷを経由して、制御対象の照明機器２１０に対して点灯を指示する。この指示に応じて、制御対象の照明機器２１０は消灯状態から点灯するように動作する。また、機器制御装置４００は、ネットワークＮＷを経由して、制御対象の照明機器２１０に対して消灯を指示する。この指示に応じて、制御対象の照明機器２１０は点灯状態から消灯するように動作する。照明機器２１０は、機器制御装置が制御する機器の一例である。
【００２０】
調光装置２２０は、機器制御装置４００の制御に応じて照明機器２１０の照度を調整する。つまり、機器制御装置４００は、照明機器２１０に設定すべき照度をネットワークＮＷ経由で調光装置２２０に対して指示する。調光装置２２０は、指示された照度となるように照明機器２１０の照度を調整する。
なお、この図では、照明機器２１０と調光装置２２０とがそれぞれ個別の機器、装置である例を示しているが、例えば照明機器２１０が調光装置２２０としての調光機能を備える構成であってもよい。
【００２１】
また、オフィスＯＦに入場するユーザは、タグ３１０を所持する。このタグ３１０は、例えば、アクティブ型のＲＦＩＤ（Radio Frequency IDentification）タグである。
アクティブ型のＲＦＩＤタグは、内蔵の電池により駆動される。このために、電池を内蔵しないパッシブ型よりも大きな電力が使用可能であるため、通信時においては例えば数十メートル程度の通信距離による通信が可能である。
タグ３１０は、その所有者であるユーザＹが予め固定的に定められており、対応の所有者であるユーザＹのユーザＩＤが記憶される。このユーザＩＤは、機器制御装置４００によって、例えば、そのユーザＩＤが示すユーザＹの席である機器制御領域ＡＲの領域ＩＤ、照明機器２１０の機器ＩＤ、この機器制御領域ＡＲにおける人感センサ１００のセンサＩＤなどと対応付けられている。
タグ３１０は、自己が記憶しているユーザＩＤを、例えば３分程度の送信間隔ごとに送信する。
タグリーダ（タグ対応通信装置）３２０は、オフィスＯＦにおいて設置され、通信可能範囲に位置するタグ３１０と通信を実行する。このタグリーダ３２０は、通信可能なタグ３１０がある場合に、このタグリーダ３２０から送信されたユーザＩＤを受信する。タグリーダ３２０は、受信したユーザＩＤの情報をネットワークＮＷ経由で機器制御装置４００に送信する。
【００２２】
機器制御装置４００は、照明機器２１０を制御する。具体的に、機器制御装置４００は、照明機器２１０の点灯と消灯を制御し、点灯中においては照度を制御する。
なお、機器制御システムおけるネットワークＮＷは、有線であってもよいし無線であってもよい。また、機器制御装置４００は、例えばＨＥＭＳ（Home Energy Management System）といわれるシステムにおいて備えられるものであってもよい。
【００２３】
［機器制御領域の区画例］
次に、図２を参照してオフィスＯＦにおける機器制御領域ＡＲの区画例について説明する。図２は、オフィスＯＦを平面方向から見た図である。
図２は、オフィスＯＦの平面方向における形状が長方形の場合において、このオフィスＯＦを平面方向において１８個の機器制御領域ＡＲに分割した例を示している。このように分割された１８個の機器制御領域ＡＲには、それぞれを一意に識別するための領域ＩＤが付与される。この図では、１８個の機器制御領域ＡＲに対して、領域ＩＤ＝ａ１〜ａ１８をそれぞれ設定した例を示している。
【００２４】
本実施形態における機器制御領域ＡＲは、それぞれが予め定められたユーザＹごとの自席である。したがって、機器制御領域ＡＲは、それぞれが、異なるユーザＹに対応する。これに応じて、機器制御領域ＡＲの各々には、対応のユーザＹに付与されたユーザＩＤも割り当てられる。図２では、領域ＩＤ＝ａ１〜ａ１８の機器制御領域ＡＲごとにユーザＩＤ＝Ｙ１〜Ｙ１８が対応付けられた例を示している。
【００２５】
また、図１にて説明したように、人感センサ１００は、機器制御領域ＡＲごとに備えられる。つまり、図２に示す区画にしたがった場合、人感センサ１００は、図３に示すように、１８個の機器制御領域ＡＲごとに１つ設置される。
そのうえで、これらの人感センサ１００には、それぞれを一意に識別するためのセンサＩＤが付与される。図３では、領域ＩＤ＝ａ１〜ａ１８の機器制御領域ＡＲの人感センサ１００ごとに、それぞれ、センサＩＤ＝ｓ１〜ｓ１８が付与された例を示している。
このように機器制御領域ＡＲごとに設置される人感センサ１００は、自己が備えられた機器制御領域ＡＲにおける人の存在の有無を検出する。
【００２６】
また、人感センサ１００が機器制御領域ＡＲごとの人の存在の有無を検出できるように機器制御領域ＡＲごとに設置されるのに対して、タグリーダ３２０については、オフィスＯＦにおける複数の機器制御領域ＡＲを通信可能範囲に含むように設置してよい。タグリーダ３２０と通信するタグ３１０は、前述のようにアクティブ型のＲＦＩＤタグであるために、例えばその通信距離は数十メートル程度である。このために、タグリーダ３２０については、オフィスＯＦにおける任意の位置に存在するタグ３１０の通信可能範囲に少なくとも１つが存在しているように設置すればよいからである。
【００２７】
図４は、オフィスＯＦにおけるタグリーダ３２０の設置例を示している。この図の例では、オフィスＯＦに対して２つのタグリーダ３２０を設置した例を示している。
この図の場合、一方のタグリーダ３２０は、オフィスＯＦにおける領域ＩＤ＝ａ１〜ａ９の９つの機器制御領域ＡＲから成る左半分の領域において、そのほぼ中央である領域ＩＤ＝ａ５の機器制御領域ＡＲに設置されている。
この領域ＩＤ＝ａ５の機器制御領域ＡＲに設置されるタグリーダ３２０は、自己を中心とする通信可能範囲ＢＤ１を形成する。この通信可能範囲ＢＤ１の半径が例えばタグ３１０の通信距離に対応する。図４に示されるように、この通信可能範囲ＢＤ１は、オフィスＯＦにおける１８個の機器制御領域ＡＲのうち、左半分の領域ＩＤ＝ａ１〜ａ９の９つの機器制御領域ＡＲを含む。これにより、領域ＩＤ＝ａ５の機器制御領域ＡＲに設置されるタグリーダ３２０は、領域ＩＤ＝ａ１〜ａ９の機器制御領域ＡＲのうちのいずれに位置するタグ３１０とも通信が可能である。
【００２８】
また、他方のタグリーダ３２０は、オフィスＯＦにおける領域ＩＤ＝ａ１０〜ａ１８の９つの機器制御領域ＡＲから成る右半分の領域において、そのほぼ中央である領域ＩＤ＝ａ１４の機器制御領域ＡＲに設置されている。
この領域ＩＤ＝ａ１４の機器制御領域ＡＲに設置されるタグリーダ３２０が形成する通信可能範囲ＢＤ２も、例えばその半径はタグ３１０の通信距離に対応する。そして、この通信可能範囲ＢＤ２は、オフィスＯＦにおける１８個の機器制御領域ＡＲのうち、右半分の領域ＩＤ＝ａ１０〜ａ１８の９つの機器制御領域ＡＲを含む。これにより、領域ＩＤ＝ａ１４の機器制御領域ＡＲに設置されるタグリーダ３２０は、領域ＩＤ＝ａ１０〜ａ１８の機器制御領域ＡＲのうちのいずれに位置するタグ３１０とも通信が可能である。
このように、タグ３１０は、オフィスＯＦにおけるいずれの機器制御領域ＡＲに位置していても、これら２つのタグリーダ３２０のうちのいずれか一方と確実に通信を行うことができる。
【００２９】
［機器管理装置の構成例］
図５は、機器制御装置４００の構成例を示している。機器制御装置４００は、通信部４０１、機器動作制御部４０２、調整制御部４０３、制御情報記憶部４０４を備える。
通信部４０１は、ネットワークＮＷを経由して、オフィスＯＦにおける人感センサ１００、照明機器２１０、調光装置２２０及びタグリーダ３２０などと通信を実行する。
なお、この図では、ネットワークＮＷ経由で人感センサ１００、照明機器２１０、調光装置２２０及びタグリーダ３２０などと通信する構成を示している。しかし、例えば人感センサ１００、照明機器２１０、調光装置２２０及びタグリーダ３２０の間で異なる通信方式を採用する場合、通信部４０１は、これらの通信方式に対応して通信を行うようにすればよい。
【００３０】
機器動作制御部４０２は、人感センサ１００が人の存在を検出したのに応じて機器の所定の機能動作を開始させる。つまり、機器動作制御部４０２は、人感センサ１００が機器制御領域ＡＲにおける人の存在を検出したのに応じて、その機器制御領域ＡＲにおける照明機器２１０を点灯させる。
【００３１】
また、機器動作制御部４０２は、人感センサ１００により人の存在しないことが検出され、かつ、タグリーダ３２０がタグ３１０と通信を行っていない状態に応じて、機器の所定の機能動作を停止させる。
具体的に、上記の状態は、人感センサ１００により機器制御領域ＡＲに人の存在しないことが検出され、かつ、タグリーダ３２０が、この機器制御領域ＡＲの席のユーザＹのユーザＩＤを記憶するタグ３１０と通信を行っていない状態である。そして、この状態に応じて、機器動作制御部４０２は、照明機器２１０を消灯する。
【００３２】
調整制御部４０３は、機器動作制御部４０２により開始された機器の所定の機能動作が実行中のときに、タグリーダ３２０がタグ３１０と通信を行うのに応じて、機能動作における所定の調整項目を変更する。
具体的に、調整制御部４０３は、照明機器２１０が点灯中のときに、タグリーダ３２０がその照明機器２１０が設置された機器制御領域ＡＲのユーザＹが所持するタグ３１０と通信を行うのに応じて、照明機器２１０の照度（調整項目）を変更する。
【００３３】
制御情報記憶部４０４は、制御情報を記憶する。制御情報は、例えば複数の機器制御領域ＡＲごとに設置される人感センサ１００と、複数の機器制御領域ＡＲごとに設置される照明機器２１０と、タグ３１０を所持するユーザとの対応付けを示す。本実施形態における制御情報は、さらに前記調整項目に対応する調整パラメータが対応付けられる。
【００３４】
図６は制御情報の構造例を示している。この図に示す制御情報は、図２に示したように機器制御領域ＡＲを１８個に区画した場合に対応している。つまり、制御情報は、１８個の機器制御領域ＡＲごとに対応するレコードを有し、１つのレコードにおいて、領域ＩＤ、照明機器ＩＤ、調光装置ＩＤ、ユーザＩＤ、センサＩＤ及びユーザ個別照度を含む構造である。
領域ＩＤは、図２にて説明したように、機器制御領域ＡＲを一意に識別する識別子である。
照明機器ＩＤは、対応の機器制御領域ＡＲに設置される照明機器２１０を一意に識別するための識別子である。
調光装置ＩＤは、対応の照明機器ＩＤが示す照明機器２１０を調光する調光装置２２０一意に識別するための識別子である。
ユーザＩＤは、対応の機器制御領域ＡＲを自席として使用するユーザＹを一意に識別する識別子である。
センサＩＤは、対応の機器制御領域ＡＲに設置される人感センサ１００を一意に識別する識別子である。
ユーザ個別照度（調整パラメータ）は、対応のユーザＩＤが示すユーザＹに応じて個別に設定された照度である。このユーザ個別照度には、例えば対応のユーザＩＤが示すユーザＹの好みに応じた照度が設定される。
このように、制御情報によっては、機器制御領域ＡＲごとに、照明機器、調光装置、ユーザ及びユーザ個別照度が対応付けられる。
【００３５】
そして、機器動作制御部４０２は、制御情報に基づいて、人の存在を検出した人感センサ１００に対応付けられた機器の所定の機能動作を開始させる。また、機器動作制御部４０２は、制御情報に基づいて、人の存在しないことを検出した人感センサ１００に対応付けられたタグ３１０が通信を行っていない状態であることを判定するのに応じて、この人の存在しないことを検出した人感センサ１００に対応付けられた機器の所定の機能動作を停止させる。
つまり、機器動作制御部４０２は、制御情報を参照することにより、機器制御領域ＡＲごとのユーザＹの存在状況に応じて、照明機器２１０の点灯と消灯を適切に制御することができる。
【００３６】
例えば人感センサ１００は、検出情報に自己のセンサＩＤを付加してネットワークＮＷ経由で機器制御装置４００に送信する。機器動作制御部４０２は、通信部４０１にて受信された検出情報を入力する。人感センサ１００は、入力した検出情報が人の存在を検出したことを示す場合に、この検出情報に付加されたセンサＩＤを含むレコードにおける機器ＩＤを制御情報から取得し、この機器ＩＤの照明機器２１０を点灯させるように制御する。
【００３７】
また、例えば機器動作制御部４０２は、人感センサ１００が人の存在していないことを検出したのに応じて、制御情報を参照することにより、この人感センサ１００が設置された機器制御領域ＡＲの席のユーザＹのユーザＩＤを取得する。
より具体的には、機器動作制御部４０２は、人が存在していないことを検出した人感センサ１００の検出情報に付加されたセンサＩＤと同じレコードに含まれるユーザＩＤを制御情報から取得する。
タグリーダ３２０はタグ３１０と通信を行って受信したユーザＩＤを、ネットワークＮＷ経由で機器制御装置４００に送信する。機器動作制御部４０２は、通信部４０１にて受信されたユーザＩＤのうちで、上記のように制御情報から取得したユーザＩＤと一致するものがあるか否かについて判定する。これにより、制御情報から取得したユーザＩＤのユーザが所持するタグ３１０がタグリーダ３２０と通信を行っていない状態であるか否かを判定することができる。機器動作制御部４０２は、このタグ３１０がタグリーダ３２０と通信を行っていないことを判定するのに応じて、照明機器２１０を消灯させるように制御する。
【００３８】
また、調整制御部４０３は、機器動作制御部４０２により開始された機器の所定の機能動作が実行中のときに、タグリーダ３２０がタグ３１０と通信を行うのに応じて、制御情報に基づいて、タグ３１０を所持するユーザに対応付けられた機器の調整項目を、このタグ３１０を所持するユーザに対応付けられた調整パラメータにしたがって変更する。
つまり、調整制御部４０３は、タグリーダ３２０がタグ３１０から受信したユーザＩＤを入力し、入力したユーザＩＤと同じレコードに含まれる照明機器ＩＤを制御情報から取得する。そして、調整制御部４０３は、取得した照明機器ＩＤの照明機器２１０が機器動作制御部４０２の制御によって点灯中の状態であるか否かについて判定する。
照明機器２１０が点灯中の状態であると判定した場合、調整制御部４０３は、制御情報においてこの点灯中の照明機器２１０の照明機器ＩＤと同じレコードに含まれる調光装置ＩＤと、ユーザ個別照度とを制御情報から取得する。調整制御部４０３は、取得した調光装置ＩＤが示す調光装置２２０に対して取得したユーザ個別照度による調光を指示する。これにより、照明機器２１０が、制御情報のユーザ個別照度が示す照度となるように変更される。
前述のように、ユーザ個別照度は、例えば対応の機器制御領域ＡＲを使用するユーザＹの好みを反映するように設定することができる。これにより、機器制御領域ＡＲにユーザＹが存在している状態のときには、その機器制御領域ＡＲの照明機器２１０について、その機器制御領域ＡＲを自席とするユーザの好みに応じた照度を設定することができる。
【００３９】
［処理手順例］
図７は、機器制御装置４００が照明機器２１０の制御のために実行する処理手順例を示している。
機器制御装置４００において機器動作制御部４０２は、現時点から検出維持時間Ｔｓを遡った期間内において、人感センサ１００が人を検出したか否かについて判定する（ステップＳ１０１）。
【００４０】
焦電式による本実施形態の人感センサ１００は、機器制御領域ＡＲにおける温度変化が生じたことを検出することにより人が存在していると検出する。このために、人感センサ１００は、ユーザＹが動いていればその動きを温度変化として検出し、人が存在していると検出する。しかし、人感センサ１００は、ユーザＹがほぼ静止した状態のときには温度変化を検出しないために、人が存在していないと誤検出する。
しかし、例えば業務内容によってはユーザＹがほぼ同じ姿勢でいる場合も多く、したがって、機器制御領域ＡＲのユーザＹがほぼ静止しているような状態になることは、しばしばあるものと考えられる。このときに、人感センサ１００について、温度変化が生じたときのみに対応して人が存在していることを示す検出情報を出力するように構成すると、機器制御領域ＡＲにおいてユーザＹが存在しているのにもかかわらず、人感センサ１００は人が存在していないことを示す検出情報の出力に切り替えてしまうことになる。
そこで、このような不具合の緩和のために、本実施形態では、人感センサ１００について、温度変化を検出した時点から予め定めた一定時間が経過するまでは、人が存在していることを示す検出情報を継続して出力するようにしている。このように温度変化を検出した時点から人が存在していることを示す検出情報が継続して出力される一定時間が検出維持時間Ｔｓである。この検出維持時間Ｔｓの長さについては特に限定されないが、例えば３０秒程度とすることが考えられる。
【００４１】
なお、検出維持時間Ｔｓは、機器制御装置４００により設定するようにしてもよい。
つまり、人感センサ１００については、温度変化が生じたときのみに対応して人が存在していることを示す検出情報を出力するようにしておく。そのうえで、人が存在していることを示す検出情報を人感センサ１００から受信するのに応じて、機器動作制御部４０２が、この検出情報の受信タイミングから検出維持時間Ｔｓが経過するまでは、人が存在していることを示す検出情報が出力されているとみなすというものである。
【００４２】
図７において、人感センサ１００が人を検出したと判定した場合（ステップＳ１０１−ＹＥＳ）、機器動作制御部４０２は、さらに以下の判定を行う。つまり、機器動作制御部４０２は、現時点から通信間隔時間Ｔｒを遡った期間内において、ステップＳ１０１にて人の存在が検出された機器制御領域ＡＲの席のユーザＹが所持するタグ３１０とタグリーダ３２０との間での通信が行われた否かについて判定する（ステップＳ１０２）。
【００４３】
ここで、タグ３１０は一定の時間間隔ごとに自己が記憶するユーザＩＤを送信するという通信動作を実行する。このようにタグ３１０が送信動作を実行する際の時間間隔が通信間隔時間Ｔｒである。
通信間隔時間Ｔｒは、例えば、タグ３１０が内蔵する電池の寿命が一定水準以上に維持されるようにすることと、調光制御の開始が遅くなりすぎないようにすることを考慮して設定すればよい。なお、ここでの一定水準以上の電池の寿命とは、例えば電池交換の頻度やこれにかかるコストなどを許容範囲内とすることができる程度の時間的な長さである。一例として、通信間隔時間Ｔｒは、例えば３分程度とすることができる。
【００４４】
タグ３１０とタグリーダ３２０との間での通信が行われていないとの判定（ステップＳ１０２−ＮＯ）は、例えば以下のような状態のもとで得られる。
つまり、ユーザＹは、オフィスＯＦに入場して自分の席に対応する機器制御領域ＡＲに移動してきたのであるが、まだ、オフィスＯＦに入場してから次の通信間隔時間Ｔｒに至っていない。このために、そのユーザＹが所持するタグ３１０とタグリーダ３２０との間で最初の通信が実行されていない、というような状態である。
【００４５】
そこで、機器動作制御部４０２は、ステップＳ１０１にて人の存在を検出した人感センサ１００と同じ機器制御領域ＡＲに設置される照明機器２１０について、予め定めた基準照度により点灯が開始されるように制御する（ステップＳ１０３）。この際、機器動作制御部４０２は、例えばその点灯が開始されるように照明機器２１０に対する制御を行うとともに、照明機器２１０が基準照度で点灯する状態となるように、同じ機器制御領域ＡＲに設置される調光装置２２０を制御する。
ステップＳ１０３の処理を終了した後、機器動作制御部４０２は、ステップＳ１０１に処理を戻す。
【００４６】
例えば、タグ３１０とタグリーダ３２０との間での通信が行われていない場合（ステップＳ１０２−ＮＯ）、既にステップＳ１０１により機器制御領域ＡＲにおいて人の存在が検出されてはいる。しかし、検出された人がその機器制御領域ＡＲを自席とするユーザＹであるとは限らない。タグ３１０とタグリーダ３２０との間での通信が行われていない場合、人の存在が検出された機器制御領域ＡＲの席のユーザＹがオフィスＯＦにて入場していない可能性が有るからである。
【００４７】
これに対して、タグ３１０とタグリーダ３２０との間での通信が行われたことを判定した場合（ステップＳ１０２−ＹＥＳ）、オフィスＯＦにおいて、ステップＳ１０１にて人の存在が検出された機器制御領域ＡＲの席のユーザは確実に存在している。この場合、その機器制御領域ＡＲにおいて、ここを自席とするユーザＹが存在している可能性が高い。
【００４８】
そこで、この場合の調整制御部４０３は、ステップＳ１０２に対応してタグ３１０がタグリーダ３２０に送信したユーザＩＤを、タグリーダ３２０から入力する。そのうえで、調整制御部４０３は、制御情報記憶部４０４に記憶される制御情報から、入力したユーザＩＤを含むレコードに含まれるユーザ個別照度を取得する（ステップＳ１０４）。
そして、調整制御部４０３は、ステップＳ１０１にて人の存在が検出された機器制御領域ＡＲの照明機器２１０が、ステップＳ１０４により取得したユーザ個別照度が示す照度で点灯するように、同じ機器制御領域ＡＲの調光装置２２０を制御する（ステップＳ１０５）。これにより、機器制御領域ＡＲにおける調光は、その機器制御領域ＡＲを自席とするユーザＹの好みとなるように調整される。調整制御部４０３は、ステップＳ１０５の処理を終了した後、ステップＳ１０１に処理を戻す。
【００４９】
また、現時点から検出維持時間Ｔｓまで遡った期間内に人感センサ１００が人を検出しなかった場合（ステップＳ１０１−ＮＯ）、機器動作制御部４０２は、以下の判定を行う。つまり、機器動作制御部４０２は、現時点から通信間隔時間Ｔｒを遡った期間内において、ステップＳ１０１にて人の存在が検出されなかった機器制御領域ＡＲの席のユーザＹが所持するタグ３１０とタグリーダ３２０との間での通信が行われた否かについて判定する（ステップＳ１０６）。このステップＳ１０６の処理自体は、ステップＳ１０２と同様である。
【００５０】
ステップＳ１０６にてタグ３１０とタグリーダ３２０との間での通信が行われと判定された場合には（ステップＳ１０６−ＹＥＳ）、以下のような状況である可能性がある。
つまり、ユーザＹは自席の機器制御領域ＡＲに存在して例えば業務などを行ってはいる。しかし、ユーザＹがほとんど静止した状態を長く続けているために、人感センサ１００が検出維持時間Ｔｓを経過して人の存在を検出していないことを示す検出情報を出力しているという状況である。
このような状況の場合には、機器制御領域ＡＲにおいてユーザＹが存在しているのであるから、照明機器２１０を消灯させるのではなく、これまでの点灯状態を維持するほうが好ましい。
【００５１】
そこで、この場合の機器動作制御部４０２あるいは調整制御部４０３は、特に処理を実行することなく、ステップＳ１０１に処理を戻す。
例えば、先にステップＳ１０３の処理を実行したのに応じて現在は基準照度により照明機器２１０を点灯させている場合、ステップＳ１０６からステップＳ１０１に戻る手順によっては、基準照度による照明機器２１０の点灯がそのまま継続される。
また、先にステップＳ１０５の処理を実行したのに応じて現在はユーザ個別照度により照明機器２１０を調光して点灯させている場合、ステップＳ１０６からステップＳ１０１に戻る手順によっては、同様にユーザ個別照度にしたがった調光がそのまま継続される。
【００５２】
また、ステップＳ１０６にてタグ３１０とタグリーダ３２０との間での通信が行われてないと判定された場合には（ステップＳ１０６−ＮＯ）、ユーザＹがオフィスＯＦに存在していない状況であることになる。
そこで、この場合の機器動作制御部４０２は、ステップＳ１０１にて人の存在が検出されない機器制御領域ＡＲにおける照明機器２１０が消灯した状態となるように制御を実行する（ステップＳ１０７）。ステップＳ１０７の処理を終了した後、機器動作制御部４０２は、ステップＳ１０１に処理を戻す。
【００５３】
［照明機器の動作例］
図８のタイミングチャートを参照して、機器制御装置４００が図７のフローチャートにしたがった処理を実行するのに応じて得られる照明機器２１０の状態遷移例について説明する。
図８には、或る１つの機器制御領域ＡＲにおける人感センサ１００の検出タイミングと、この機器制御領域ＡＲを自席とするユーザＹが所持するタグ３１０とのタグリーダ３２０の通信結果と、照明機器２１０の動作状態が示されている。
また、図８に示す人感センサ１００におけるＨレベルは、人の存在を検出していることを示す検出情報を出力している状態を示し、Ｌレベルは人の存在を検出していないことを示す検出情報を出力している状態を示す。また、通信結果におけるＨレベルは、タグリーダ３２０がタグ３１０から送信されたユーザＩＤを受信するという通信が実行されたタイミングを示し、Ｌレベルはこの通信が行われていないタイミングを示す。
【００５４】
図８において、時刻ｔ１以前においては、人感センサ１００により人の存在が検出されておらず、かつ、タグリーダ３２０もタグ３１０と未だ通信を実行していない状態である。
この状態に対応して、図７の処理においては、ステップＳ１０１において「ＮＯ」と判定され、かつ、ステップＳ１０６においても「ＮＯ」と判定される。そこで、機器動作制御部４０２は、ステップＳ１０７の処理を実行する。これに応じて、図８に示すように、時刻ｔ１以前における照明機器２１０は消灯の状態にある。
【００５５】
そして、時刻ｔ１に至って人感センサ１００が人の存在を検出する。これにより、図７の処理においては、ステップＳ１０１において「ＹＥＳ」と判定される。ただし、このときには、タグリーダ３２０はタグ３１０と通信を行っていないため、ステップＳ１０２においては「ＮＯ」と判定される。そこで、機器動作制御部４０２はステップＳ１０３により、基準照度により照明機器２１０を点灯させる。これにより、時刻ｔ１において、照明機器２１０は、消灯の状態から点灯の状態に変化する。
【００５６】
次に、時刻ｔ１から或る時間を経過した時刻ｔ２において、タグリーダ３２０がタグ３１０と通信が行われる。このとき、人感センサ１００は、時刻ｔ１からの検出維持時間Ｔｓを継続させている。したがって、この場合に対応する図７の処理としては、ステップＳ１０１にて「ＹＥＳ」と判定され、ステップＳ１０２においても「ＹＥＳ」と判定される。
これに応じて、調整制御部４０３はステップＳ１０４、Ｓ１０５の処理によってユーザ個別照度にしたがった調光制御を実行する。これにより、時刻ｔ２以降における照明機器２１０は、基準照度による点灯からユーザ個別照度が示す照度で点灯されるように調光される状態に変化する。
【００５７】
ここで、時刻ｔ１から検出維持時間Ｔｓを経過した時刻ｔ３に至ったタイミングにおいて、ユーザＹは、機器制御領域ＡＲにおいてほぼ静止した状態にあった場合の例について説明する。このとき、人感センサ１００は、機器制御領域ＡＲにおける温度変化を検出できない。このため、人感センサ１００は、時刻ｔ３において、人が存在していないことを示す検出情報を出力する状態に変化する。
【００５８】
時刻ｔ３以降において、例えばユーザＹは機器制御領域ＡＲに存在しているが、ほとんど静止した状態でいる。これにより、時刻ｔ３以降における人感センサ１００は、人が存在していないことを示す検出情報の出力を継続する。
ただし、時刻ｔ３以降において、ユーザＹは、機器制御領域ＡＲに存在し続けている。
このために、ユーザＹが所持するタグ３１０は、時刻ｔ２にて最初にタグリーダ３２０と通信を実行して以降、通信間隔時間Ｔｒごとに定期的にタグリーダ３２０と通信を実行する。図８においては、時刻ｔ２以降において、時刻ｔ４、ｔ５、ｔ６、ｔ７のタイミングでタグ３１０がタグリーダ３２０と通信を行った結果が示されている。
【００５９】
そして、例えば、時刻ｔ７から通信間隔時間Ｔｒを経過した時刻ｔ８に至るまでの途中において、ユーザがオフィスＯＦから退出したとする。
これにより、時刻ｔ８において、タグリーダ３２０はタグ３１０と通信を行わない状態になる。したがって、時刻ｔ８のタイミングに対応する図７の処理は、ステップＳ１０１にて「ＮＯ」の判定が得られ、かつ、ステップＳ１０６においても「ＮＯ」の判定が得られる。
そこで、機器動作制御部４０２は、ステップＳ１０７により照明機器２１０を消灯させる。これに応じて、照明機器２１０は、時刻ｔ８においてユーザ個別照度が示す照度で点灯していた状態から、消灯の状態に変換する。
【００６０】
このように、本実施形態においては、まず、照明機器２１０の点灯開始にあたっては、人感センサ１００の検出情報を利用する。
例えば人感センサ１００は、商用電源などの電源系統から電力供給を受けて動作させることが一般的であり、定常的に動作させても電池切れなどの心配はない。これにより、人感センサ１００については定常的に検出を行って検出情報を出力させることができる。そのうえで、人感センサ１００が人の存在を検出したことを示す検出情報に応じて照明機器２１０を点灯させるようにすれば、例えば機器制御領域ＡＲにユーザＹが入ってきたのに応じてすぐに照明機器２１０を自動で点灯させることができる。
【００６１】
また、焦電式の人感センサ１００は、実際には人が存在していながらも、温度変化が無い状態では人が存在していないものとして検出してしまう。しかし、照明機器２１０が一旦点灯された後は、タグ３１０がタグリーダ３２０と定期的に通信を実行している限りは、機器動作制御部４０２が照明機器２１０を点灯させるように制御する。これにより、例えばユーザＹがほぼ静止している状態であるのに応じて人感センサ１００が人の存在を検出しない状態であっても、照明機器２１０の点灯が継続される。
そのうえで、本実施形態では、人感センサ１００により人の存在していないことが検出されていることに加え、さらに、タグ３１０がタグリーダ３２０と通信を実行していないという条件を満たした場合に照明機器２１０を消灯させるようにしている。これにより、ユーザＹが機器制御領域ＡＲに確実に存在していない状態の下で照明機器２１０を消灯させることができる。
【００６２】
このように、本実施形態においては、人感センサ１００とタグ３１０とを併用して照明機器２１０の点灯制御を行っている。これにより、本実施形態においては、人感センサ１００を利用しながらも、例えばユーザＹがほぼ静止して温度変化が検出されない状態になったとしても、ユーザＹが存在している可能性の高い場合には、照明機器２１０の点灯を継続させることができる。
【００６３】
また、例えば、タグ３１０とタグリーダ３２０の通信によって点灯開始の制御を行うこととした場合において、ユーザＹの存在の検出に応答してすぐに照明機器２１０を点灯させようとすると、通信間隔時間Ｔｒを数秒程度にまで短くする必要がある。このように通信間隔時間Ｔｒが短縮されてしまうと、電池の寿命が著しく短くなってしまう。
これに対して、本実施形態においては、照明機器２１０の点灯開始については人感センサ１００の検出情報のみを利用し、その後の点灯を維持すべきかどうかの判断にタグ３１０とタグリーダ３２０との通信結果を利用している。これにより、タグ３１０については、例えば通信間隔時間Ｔｒについて数分程度に設定することができる。これにより、タグ３１０の電池の寿命を一定水準以上に保つことが可能になる。
【００６４】
さらに、本実施形態においては、タグ３１０にユーザＩＤを記憶させて、このユーザＩＤをタグリーダ３２０に送信させることで、人感センサ１００によりその存在が検知されたユーザＹを特定することができる。このことを利用して、本実施形態では、制御情報においてユーザごとにユーザ個別照度を格納することで、例えば機器制御領域ＡＲごとにおいてユーザの好みに応じた照度を照明機器２１０に設定するという、きめ細かな調光制御が可能になっている。
【００６５】
［変形例］
続いて、本実施形態の変形例について説明する。
これまでの説明では、機器制御装置４００が照明機器２１０を制御対象として、その点灯、消灯、調光を制御していた。
しかし、本実施形態における機器制御装置４００は、例えば照明機器２１０以外の機器を制御対象とすることができる。一例として、機器制御装置４００は、例えばオフィスＯＦなどの施設における空調機器を制御することもできる。
そこで、変形例として、機器制御装置４００が空調機器を制御対象とする機器制御システムの一例について説明する。
【００６６】
このような機器制御システムでは、図１のオフィスＯＦにおいて例えば機器制御領域ＡＲごとに空調機器（図示せず）を設置する。そして、制御情報記憶部４０４が記憶する制御情報においては、レコードごとに空調機器ＩＤとユーザ個別設定温度をさらに含める。空調機器ＩＤは、機器制御領域ＡＲごとの空調機器を一意に識別する識別子であり、ユーザ個別設定温度は、例えば対応のユーザＹの好みに応じて設定された空調機器の設定温度である。
【００６７】
変形例における機器制御装置４００が実行する処理手順例は、図７に準ずる。
ただし、ステップＳ１０３において、機器動作制御部４０２は、例えば基準の設定温度により空調機器の空調動作を開始させる。また、調整制御部４０３は、ステップＳ１０４において、制御情報からユーザ個別設定温度を取得し、ステップＳ１０５において、空調機器の設定温度をユーザ個別設定温度が示す値に設定する。また、機器動作制御部４０２は、ステップＳ１０７において、空調機器の空調動作を停止させる。
【００６８】
このように、変形例においては、人感センサ１００により人の存在していることが検出されるのに応じてその機器制御領域ＡＲにおける空調機器の空調動作が開始される。また、空調動作が行われているときに、タグ３１０とタグリーダ３２０との通信が行われるのに応じて、機器制御領域ＡＲにおいて、例えばユーザの好みに応じた温度が設定される。また、人感センサ１００により人の存在していないことが検出され、かつ、タグ３１０とタグリーダ３２０との通信が行われない状態となるのに応じて空調機器の空調動作が停止される。
【００６９】
なお、これまでの説明においては、オフィスＯＦにおいて機器の制御を行う場合を例に挙げたが、例えば図書館などの公共施設や食堂のような場所などをはじめ、オフィス以外の環境にも本発明の構成による機器制御は適用可能である。
【００７０】
また、図５に示した機器制御装置４００における各機能部の機能を実現するためのプログラムをコンピュータ読み取り可能な記録媒体に記録して、この記録媒体に記録されたプログラムをコンピュータシステムに読み込ませ、実行することにより機器制御を行ってもよい。なお、ここでいう「コンピュータシステム」とは、ＯＳや周辺機器等のハードウェアを含むものとする。
【００７１】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであってもよい。
【００７２】
以上、この発明の実施形態について図面を参照して詳述してきたが、具体的な構成はこの実施形態に限られるものではなく、この発明の要旨を逸脱しない範囲の設計等も含まれる。
【符号の説明】
【００７３】
１００  人感センサ
２１０  照明機器
２２０  調光装置
３１０  タグ
３２０  タグリーダ
４００  機器制御装置
４０１  通信部
４０２  機器動作制御部
４０３  調整制御部
４０４  制御情報記憶部
【図１】
2014093551.tif 000003
【図２】
2014093551.tif 000004
【図３】
2014093551.tif 000005
【図４】
2014093551.tif 000006
【図５】
2014093551.tif 000007
【図６】
2014093551.tif 000008
【図７】
2014093551.tif 000009
【図８】
2014093551.tif 000010